(57)【特許請求の範囲】
【請求項１】
上下動自在に備えられている一対の衝撃音発生体と、
この夫々の衝撃音発生体を夫々上方に押上げると共に該押上げを解放して該衝撃音発生体を落下させ、測定対象床部に衝突衝撃音を生じさせる一対のカム手段とを備えており、
前記衝撃音発生体が案内体と該案内体の下部に該案内体に対して上下方向に移動調節可能に備えられる落下重量体とを備え、該落下重量体を上下方向に移動調節して前記カム手段により押上げられる該衝撃音発生体における落下重量体下端の高さ位置を調整可能としてあることを特徴とする連続衝撃音発生装置。
【請求項２】
前記衝撃音発生体の側方にストッパー片を回動可能に有する位置決め具が設けてあり、該位置決め具における前記ストッパー片に前記衝撃音発生体における前記案内体を接しさせて、該衝撃音発生体における該案内体に対する前記落下重量体の上下方向に向けた移動調節をするようにしてあることを特徴とする請求項１に記載の連続衝撃音発生装置。
【請求項３】
上下動自在に備えられている一対の衝撃音発生体と、
この夫々の衝撃音発生体を夫々上方に押上げると共に該押上げを解放して該衝撃音発生体を落下させ、測定対象床部に衝突衝撃音を生じさせる一対のカム手段とを備えており、
このカム手段が回転軸に備えられている板カムを有し、しかも、該板カムが前記衝撃音発生体の被摺接部に摺接して該衝撃音発生体を上方に押上げるように回転軸中心から漸次遠ざかるように備えられている押上げ摺接縁と、この押上げ摺接縁により押上げられた前記衝撃音発生体の落下移動を可能とするように該押上げ摺接縁から該回転軸側に向けて近付くように備えられる縁とを備えていることを特徴とする連続衝撃音発生装置。
【請求項４】
前記板カムにおける前記衝撃音発生体の被摺接部に摺接して該衝撃音発生体を上方に押上げる押上げ摺接縁がインボリュート曲線からなる摺接縁としてあることを特徴とする請求項３に記載の連続衝撃音発生装置。
【請求項５】
前記一対のカム手段が、前記一対の衝撃音発生体を交互に上方に押上げると共に該押上げを解放して該衝撃音発生体を交互に落下させる構成としてあることを特徴とする請求項１、請求項２、請求項３又は請求項４に記載の連続衝撃音発生装置。
【請求項６】
前記衝撃音発生体に調整用ウエートを着脱可能に装着し得るようにしてあることを特徴とする請求項１、請求項２、請求項３，請求項４又は請求項５に記載の連続衝撃音発生装置。
【請求項７】
前記衝撃音発生体及び前記カム手段を備える架台が３本以上の支持脚を有し且つ該支持脚が長さ調節可能としてあることを特徴とする請求項１、請求項２、請求項３、請求項４、請求項５又は請求項６に記載の連続衝撃音発生装置。
【請求項８】
前記衝撃音発生体及び前記カム手段を備える架台が３本以上の支持脚を有すると共に該支持脚が弾性球状体の脚座を有していることを特徴とする請求項１、請求項２、請求項３、請求項４、請求項５、請求項６又は請求項７に記載の連続衝撃音発生装置。
【請求項９】
前記衝撃音発生体及び前記カム手段を備える架台が３本以上の支持脚を有し且つ該支持脚の少なくとも１本以上の支持脚が該架台に対して垂直軸線で回動可能に備えられているアームの先端側に設けられていることを特徴とする請求項１、請求項２、請求項３、請求項４、請求項５、請求項６、請求項７又は請求項８に記載の連続衝撃音発生装置。
【発明の詳細な説明】
【０００１】
【発明の属する技術分野】
この発明は、建物などの床部における歩行衝撃音特性の比較、評価、特に、実歩行に近似した連続歩行衝撃音特性の比較、評価に用い得る連続衝撃音発生装置の提供に関する。
【０００２】
【従来の技術】
家屋などにおいて床部における衝撃音、特に歩行音などの遮断特性が、当該家屋などにおける快適な居住性を確保する点から重要な要素をなしている。
【０００３】
かかる点から、家屋などの床部における衝撃音特性を測定、評価し、目的とする衝撃音遮断特性を備えた床部の構成を備える家屋を提供するために、構成される対象床部における衝撃音特性を測定、評価して、その床部を構成する床構造、当該床部を構成する使用床材、床材の張込み構造などの検討資料とする必要があった。
【０００４】
かかる床部における衝撃音特性の測定、評価に際して、評価対象床部における衝撃音を、タッピングマシン、バングマシンを用いて測定し、当該対象床部の評価をなし、あるいは、バスケットボールや歩行衝撃の代替物などの単体落下物を所定の高さから落下させて、その衝撃音を測定し、当該対象床部の評価をなしていた。
【０００５】
【発明が解決しようとする課題】
しかしながら、前記タッピングマシンやバングマシンを用いた床部における衝撃音の測定にあっては、このタッピングマシンやバングマシンにおける発生衝撃音が本来の人の実歩行に伴って生ずる衝撃音特性と異なる衝撃音特性を有することから、対象床部における人の歩行に伴う衝撃音の測定、評価に難があった。
【０００６】
また、前記のバスケットボールや歩行衝撃の代替物などの単体落下物を用いた床部における衝撃音の測定、評価にあっては、実際の測定に際しての落下条件などが個々まちまちとなり、その測定における再現性に難があり、しかも、実際に人が歩行する連続した衝撃音に相当する衝撃音を当該対象床部にもたらし難い不具合があった。
【０００７】
かかる点から、対象床部における実歩行による歩行音を測定、評価することによって、当該対象床部における衝撃音特性の評価をすることが試みられており、当該対象床部における具体的且つ現実的な歩行音の測定がなされている。
しかしながら、かかる実歩行による対象床部における歩行音の測定にあっては、当該対象床部における歩行の再現性に難があり、歩行音測定における各実歩行が個々に異なった歩行形態とされ、測定歩行音の比較、評価に用い難い不具合があった。
【０００８】
この発明は、かかる従来の対象床部に対する歩行音の測定、評価における不具合を解消し、対象床部における歩行音の的確な測定、評価を可能とする連続衝撃音発生装置の提供を目的とするものである。
【０００９】
【課題を解決するための手段】
かかる目的を達成するために、請求項１記載の発明は、上下動自在に備えられている一対の衝撃音発生体と、
この夫々の衝撃音発生体を夫々上方に押上げると共に該押上げを解放して該衝撃音発生体を落下させ、測定対象床部に衝突衝撃音を生じさせる一対のカム手段とを備えており、
前記衝撃音発生体が案内体と該案内体の下部に該案内体に対して上下方向に移動調節可能に備えられる落下重量体とを備え、該落下重量体を上下方向に移動調節して前記カム手段により押上げられる該衝撃音発生体における落下重量体下端の高さ位置を調整可能としてあることを特徴とする連続衝撃音発生装置としてある。
【００１０】
このように構成される連続衝撃音発生装置にあっては、測定対象床部において予想される発生歩行音に類似する連続衝撃音を当該対象床部に対して確実に且つ再現性良くもたらすことができる。
【００１１】
また、このように構成される連続衝撃音発生装置にあっては、測定対象床部に衝突衝撃音を生じさせるように落下用いられる衝撃音発生体における落下高さを随時、随意に調整して、これを測定の目的に対応した高さに調整して用いることができる。
【００１２】
また、前記目的を達成するために、請求項２に記載の発明を、前記請求項１に記載の発明に係る連続衝撃音発生装置において、前記衝撃音発生体の側方にストッパー片を回動可能に有する位置決め具が設けてあり、該位置決め具における前記ストッパー片に前記衝撃音発生体における前記案内体を接しさせて、該衝撃音発生体における該案内体に対する前記落下重量体の上下方向に向けた移動調節をするようにしてあることを特徴とする連続衝撃音発生装置としてある。
【００１３】
このように構成される連続衝撃音発生装置にあっては、測定対象床部に衝突衝撃音を生じさせるように落下用いられる衝撃音発生体における落下高さを容易に且つ確実に測定の目的に対応した高さに調整して用いることができる。
【００１４】
また、前記目的を達成するために、請求項３に記載の発明は、上下動自在に備えられている一対の衝撃音発生体と、
この夫々の衝撃音発生体を夫々上方に押上げると共に該押上げを解放して該衝撃音発生体を落下させ、測定対象床部に衝突衝撃音を生じさせる一対のカム手段とを備えており、
このカム手段が回転軸に備えられている板カムを有し、しかも、該板カムが前記衝撃音発生体の被摺接部に摺接して該衝撃音発生体を上方に押上げるように回転軸中心から漸次遠ざかるように備えられている押上げ摺接縁と、この押上げ摺接縁により押上げられた前記衝撃音発生体の落下移動を可能とするように該押上げ摺接縁から該回転軸側に向けて近付くように備えられる縁とを備えていることを特徴とする連続衝撃音発生装置としてある。
【００１５】
このように構成される連続衝撃音発生装置にあっては、この連続衝撃音発生装置を構成する衝撃音発生体の確実な押上げと、この押上げ衝撃音発生体を測定対象床部に確実に衝突衝撃音を生じさせるように落下させることができる。
【００１６】
また、前記目的を達成するために、請求項４に記載の発明を、前記請求項３に記載の発明に係る連続衝撃音発生装置において、前記板カムにおける前記衝撃音発生体の被摺接部に摺接して該衝撃音発生体を上方に押上げる押上げ摺接縁がインボリュート曲線からなる摺接縁としてあることを特徴とする連続衝撃音発生装置としてある。
【００１７】
このように構成される連続衝撃音発生装置にあっては、この連続衝撃音発生装置を構成する衝撃音発生体の押上げを、この押上げに伴う振動を極力生じないようになすことができる。
【００１８】
また、前記目的を達成するために、請求項５に記載の発明を、前記請求項１、請求項２、請求項３又は請求項４に記載の発明に係る連続衝撃音発生装置において、前記一対のカム手段が、前記一対の衝撃音発生体を交互に上方に押上げると共に該押上げを解放して該衝撃音発生体を交互に落下させる構成としてあることを特徴とする連続衝撃音発生装置としてある。
【００１９】
このように構成される連続衝撃音発生装置にあっては、測定対象床部に対する衝撃を確実に連続状態で再現性良くもたらすことができる。
【００２０】
また、前記目的を達成するために、請求項６に記載の発明を、前記請求項１、請求項２、請求項３、請求項４又は請求項５に記載の発明に係る連続衝撃音発生装置において、前記衝撃音発生体に調整用ウエートを着脱可能に装着し得るようにしてあることを特徴とする連続衝撃音発生装置としてある。
【００２１】
このように構成される連続衝撃音発生装置にあっては、測定対象床部に衝突衝撃音を生じさせるように落下用いられる衝撃音発生体を随時、随意に、その重さを、測定の目的に対応して調整することができる。
【００２３】
また、前記目的を達成するために、請求項７に記載の発明を、前記請求項１、請求項２、請求項３、請求項４、請求項５又は請求項６に記載の発明に係る連続衝撃音発生装置において、前記衝撃音発生体及び前記カム手段を備える架台が３本以上の支持脚を有し且つ該支持脚が長さ調節可能としてあることを特徴とする連続衝撃音発生装置としてある。
【００２４】
このように構成される連続衝撃音発生装置にあっては、測定対象床部に衝突衝撃音を生じさせるように落下用いられる衝撃音発生体の落下高さを前記支持脚の長さ調節によって、随時、随意に測定目的に対応した高さに調整して用いることができる。
【００２５】
また、前記目的を達成するために、請求項８に記載の発明を、前記請求項１、請求項２、請求項３、請求項４、請求項５、請求項６又は請求項７に記載の発明に係る連続衝撃音発生装置において、前記衝撃音発生体及び前記カム手段を備える架台が３本以上の支持脚を有すると共に該支持脚が弾性球状体の脚座を有していることを特徴とする連続衝撃音発生装置としてある。
【００２６】
このように構成される連続衝撃音発生装置にあっては、この連続衝撃音発生装置における衝撃音発生体の押上げ及び落下衝撃に伴って架台に生ずる振動が測定対象床部に対して伝達されるのを効果的に遮断でき、架台における支持脚と衝撃音発生体の落下位置との間の間隔を比較的離すことなく的確に落下衝撃音の測定が可能とされる。
【００２７】
また、前記目的を達成するために、請求項９に記載の発明を、前記請求項１、請求項２、請求項３、請求項４、請求項５、請求項６、請求項７又は請求項８に記載の発明に係る連続衝撃音発生装置において、前記衝撃音発生体及び前記カム手段を備える架台が３本以上の支持脚を有し且つ該支持脚の少なくとも１本以上の支持脚が該架台に対して垂直軸線で回動可能に備えられているアームの先端側に設けられていることを特徴とする連続撃音発生装置としてある。
【００２８】
このように構成される連続衝撃音発生装置にあっては、当該連続衝撃音発生装置の使用に際して前記架台における支持脚による支持間隔を離した状態に当該連続衝撃音発生装置をセッテングすることが可能とされ、しかも、当該架台における支持脚間の間隔を狭めて当該装置の搬送、保管などをなすことができる。
【００２９】
【発明の実施の形態】
以下、本発明の典型的な一実施の形態に係る連続衝撃音発生装置Ｙについて詳細に説明する。
【００３０】
図１〜図７は、本発明に係る典型的な一実施の形態に係る連続衝撃音発生装置Ｙを示すものであって、図１では、この実施の形態に係る連続衝撃音発生装置Ｙを、その使用状態において上方から見て示しており、図２では、この連続衝撃音発生装置Ｙにおける支持脚１６のアーム１２を折り畳む状態を上方から見て示している。
図３では、この連続衝撃音発生装置Ｙの使用状態を前面側から見て、図４では、これを側方から見て一部を省略して示している。
図５では、当該連続衝撃音発生装置Ｙにおいて衝撃音発生体２０を上方に引き上げた状態を、図６では、この衝撃音発生体２０を測定対象床部Ｄに向けて落下させた状態を夫々縦方向で断面して示している。
また、図７では、この連続衝撃音発生装置Ｙにおける衝撃音発生体２０を上方において位置決め具Ｅを用いて保持している状態を縦方向で断面して示している。
【００３１】
この典型的な実施の形態に係る連続衝撃音発生装置Ｙは、上下動自在に備えられている一対の衝撃音発生体Ｂと、この夫々の衝撃音発生体Ｂを夫々上方に押上げると共に該押上げを解放して該衝撃音発生体Ｂを落下させ、測定対象床部Ｄに衝突衝撃音を生じさせる一対のカム手段Ｃとを有する構成としてある。
【００３２】
このように構成される連続衝撃音発生装置Ｙにあっては、測定対象床部Ｄにおいて予想される発生歩行音に類似する連続衝撃音を当該対象床部Ｄに対して確実に且つ再現性良くもたらすことができる。
【００３３】
また、前記構成に係る連続衝撃音発生装置Ｙにおいて、前記一対のカム手段Ｃが、前記一対の衝撃音発生体Ｂを交互に上方に押上げると共に該押上げを解放して該衝撃音発生体Ｂを交互に落下させる構成としてあってもよい。
【００３４】
このように構成される連続衝撃音発生装置Ｙにあっては、測定対象床部Ｄに対する衝撃を確実に連続状態で再現性良く当該測定対象床部Ｄにもたらすことができる。
【００３５】
また、前記構成に係る連続衝撃音発生装置Ｙにおいて、前記衝撃音発生体Ｂに調整用ウエート２３を着脱可能に装着し得るように構成してあってもよい。
【００３６】
このように構成される連続衝撃音発生装置Ｙにあっては、測定対象床部Ｄに衝突衝撃音を生じさせるように落下用いられる衝撃音発生体Ｂを随時、随意に、その重さを、測定の目的に対応して調整して用いることができる。
【００３７】
また、前記構成に係る連続衝撃音発生装置Ｙにおいて、前記衝撃音発生体Ｂが案内体２０と該案内体２０の下部に該案内体２０に対して上下方向に移動調節可能に備えられる落下重量体２１とを有し、該落下重量体２１を上下方向に移動調節して前記カム手段Ｃにより押上げられる該衝撃音発生体Ｂにおける落下重量体２１下端の高さ位置を調整可能としてあってもよい。
【００３８】
このように構成される連続衝撃音発生装置Ｙにあっては、測定対象床部Ｄに衝突衝撃音を生じさせるように落下用いられる衝撃音発生体Ｂにおける落下高さを随時、随意に調整して、これを測定の目的に対応した高さに調整して用いることができる。
【００３９】
また、前記構成に係る連続衝撃音発生装置Ｙにおいて、前記衝撃音発生体Ｂの側方にストッパー片３４を回動可能に有する位置決め具Ｅが設けてあり、該位置決め具Ｅにおける前記ストッパー片３４に前記衝撃音発生体Ｂにおける前記案内体２０を接しさせて、該衝撃音発生体Ｂにおける該案内体２０に対する前記落下重量体２１の上下方向に向けた移動調節をするようにしてあってもよい。
【００４０】
このように構成される連続衝撃音発生装置Ｙにあっては、測定対象床部Ｄに衝突衝撃音を生じさせるように落下用いられる衝撃音発生体Ｂにおける落下高さを容易に且つ確実に測定の目的に対応した高さに調整して用いることができる。
【００４１】
また、前記構成に係る連続衝撃音発生装置Ｙにおいて、前記カム手段Ｃが回転軸４１に備えられる板カム４０を有し、しかも、該板カム４０が前記衝撃音発生体Ｂの被摺接部４２に摺接して該衝撃音発生体Ｂを上方に押上げるように回転軸中心から漸次遠ざかるように備えられる押上げ摺接縁４０ａと、この押上げ摺接縁４０ａにより押上げられた前記衝撃音発生体Ｂの落下移動を可能とするように該押上げ摺接縁４０ａから該回転軸４１側に向けて近付くように備えられる縁４０ｃとを備えた構成としてあってもよい。
【００４２】
このように構成される連続衝撃音発生装置Ｙにあっては、この連続衝撃音発生装置Ｙを構成する衝撃音発生体Ｂの確実な押上げと、この押上げ衝撃音発生体Ｂを測定対象床部Ｄに対して確実に衝突衝撃音を生じさせるように落下させることができる。
【００４３】
また、前記構成に係る連続衝撃音発生装置Ｙにおいて、前記板カム４０における前記衝撃音発生体Ｂの被摺接部４２に摺接して該衝撃音発生体Ｂを上方に押上げる押上げ摺接縁４０ａがインボリュート曲線からなる摺接縁４０ａとしてあってもよい。
【００４４】
このように構成される連続衝撃音発生装置Ｙにあっては、この連続衝撃音発生装置Ｙを構成する衝撃音発生体Ｂの押上げを、この押上げに伴う振動を極力生じないようになすことができる。
【００４５】
また、前記構成に係る連続衝撃音発生装置Ｙにおいて、前記衝撃音発生体Ｂ及び前記カム手段Ｃを備える架台Ａが３本以上の支持脚１６を有し且つ該支持脚１６が長さ調節可能としてあってもよい。
【００４６】
このように構成される連続衝撃音発生装置Ｙにあっては、測定対象床部Ｄに衝突衝撃音を生じさせるように落下用いられる衝撃音発生体Ｂの落下高さを前記支持脚１６の長さ調節によって、随時、随意に測定目的に対応した高さに調整して用いることができる。
【００４７】
また、前記構成に係る連続衝撃音発生装置Ｙにおいて、上下動自在に備えられる衝撃音発生体Ｂ及びカム手段Ｃを備える架台Ａが３本以上の支持脚１６を有すると共に該支持脚１６が弾性球状体１７’の脚座１７を有している構成としてあってもよい。
【００４８】
このように構成される連続衝撃音発生装置Ｙにあっては、この連続衝撃音発生装置Ｙにおける衝撃音発生体Ｂの押上げ、落下衝撃などに伴って架台Ａに生ずる振動の測定対象床部Ｄに対する伝達を効果的に遮断でき、架台Ａにおける支持脚１６と衝撃音発生体Ｂの落下位置との間の間隔を近付けて設定した場合にあっても当該衝撃音発生体Ｂの測定対象床部Ｄに対する衝撃音をノイズのない状態で測定することができる。
【００４９】
また、前記構成に係る連続衝撃音発生装置Ｙにおいて、上下動自在に備えられる衝撃音発生体Ｂ及びカム手段Ｃを備える架台Ａが３本以上の支持脚１６を有し且つ該支持脚１６の少なくとも１本以上の支持脚１６が該架台Ａに対して垂直軸線で回動可能に備えられているアーム１２の先端側に設けられている構成としてあってもよい。
【００５０】
このように構成される連続衝撃音発生装置Ｙにあっては、当該連続衝撃音発生装置Ｙの使用に際して前記架台Ａにおける支持脚１６による支持間隔を離すことができ、しかも、当該架台Ａにおける支持脚１６間の間隔を狭めて当該連続衝撃音発生装置Ｙの搬送、保管などをなすことができる。
【００５１】
かかる連続衝撃音発生装置Ｙを構成する架台Ａは、長方形状をなす台盤１０と、この台盤１０を所定高さに維持する支持脚１６〜１６とを備えて前記衝撃音発生体Ｂを所定高さから測定対象床部Ｄに向けて落下させて、目的とする衝撃音を当該測定対象床部Ｄにもたらし得る構成としてある。
【００５２】
かかる架台Ａを構成する台盤１０は長方形状に構成してあると共に、３本の支持脚１６〜１６を備えた構成としてあり、その長手側の一方の側の略中央部に第１の支持脚１６を、また、該台盤１０における長手側の他方端側に垂直の向きの回動軸によって水平の向きに回動可能に備えられる一対のアーム１２、１２に第２の支持脚１６と第３の支持脚１６とを備えた構成としてある。
【００５３】
かかる支持脚１６を有するアーム１２は、角棒状をなすアーム本体部１２Ａと、このアーム本体部１２Ａから直角に屈曲して連続されているアーム屈曲部１２Ｂとを有し、このアーム本体部１２Ａの先端側から下方に垂下するように支持脚１６を有する構成としてある。
【００５４】
かかるアーム１２の備えられる台盤１０は、その下面幅側の両側に互いに向き合い且つ長手方向の一方に偏って該長手方向に延びる一対の補強フレーム１１、１１を備えた構成としてあり、この補強フレーム１１は、その下端縁に互いに近付く向きに突き出す内鍔１１ａを有し、その外側面と該補強フレーム１１の外方にある台盤１０の下面との間が該補強フレーム１１に向けて回動される前記アーム１２におけるアーム本体部１２Ａの納め入れられる収納空間１５としてあると共に、この補強フレーム１１の側端と前記台盤１０における一方の長手側端との間が前記アーム屈曲部１２Ｂの回動空間１５’としてある。
【００５５】
かかる構成からなる台盤１０に対して、該台盤１０における長手側の一方側の下面に、一対のアーム１２、１２が、このアーム１２における前記アーム屈曲部１２Ｂ、１２Ｂを、その互いの側端面１２ｂを接する平行状態で、しかも、前記アーム本体部１２Ａ、１２Ａを該台盤１０における長手側の一方端側の該台盤１０の幅方向に沿って同一直線状に並ぶ位置から該アーム本体部１２Ａが前記補強フレーム１１の外側面に沿って前記収納空間１５内に納まる位置に向けて回動し得るように該アーム屈曲部１２Ｂの先端部において垂直の向きにある回動軸１４によって該台盤１０に対して組み付けてあり、このアーム１２におけるアーム屈曲部１２Ｂとアーム本体部１２Ａとの上面が前記台盤１０の下面に沿って水平旋回される構成としてある。
なお、前記回動軸１４は前記台盤１０からアーム屈曲部１２Ｂを貫通して備えられるボルト部１４ａと該アーム屈曲部１２Ｂの下方に突き出される該ボルト部１４ａの突き出し部に螺着されるナット部１４ｂとを有する構成としてある。
【００５６】
なお、ここで台盤１０に備えられる一対のアーム１２は、このアーム１２を構成する各アーム屈曲部１２Ｂを、その側端面１２ｂを互いに接するように該アーム屈曲部１２Ｂ、１２Ｂを平行状態とし、しかも、アーム本体部１２Ａ、１２Ａを同一の直線上に位置づけた状態で、この各アーム本体部１２Ａ、１２Ａの外側端面１２ｃに備えられている掛留め具１３におけるフック環１３ａをフック爪１３ｂに掛合状態させることによって、該アーム１２、１２を前記台盤１０の長さ側に直交する向きに直列状に維持させるようにしてある。
【００５７】
また、このアーム１２を構成するアーム屈曲部１２Ｂは、前記回動軸１４から先端側にある該アーム屈曲部１２Ｂの先端側が半円弧状端面１２ａとしてあり、該アーム屈曲部１２Ｂにおける側端面１２ｂを互いに接した位置から該側端面１２ｂを互いに前記台盤１０における長手側の一方端の該台盤１０における幅方向の向きに沿わせ、しかも該アーム本体部１２Ａを前記補強フレーム１２の外側面に沿わせるように回動可能に設けてある。
【００５８】
かかる台盤１０及び該台盤１０のアーム１２に備えられて当該台盤１０を所定高さに保持する支持脚１６は長さ調節可能に構成してあり、前記台盤１０の下面又は前記アーム本体部１２Ａの下面から一体に垂下延設状態に備えられると共に、その下端側から上方に向けて雌ネジ孔１６ａ’を備えた脚本体部１６ａと、この雌ネジ孔１６ａ’に上下動調整可能に螺挿されるネジ棒状脚調整部１６ｂと、このネジ棒状脚調整部１６ｂの下端に備えられている脚座受け部１６ｃと、この脚座受け部１６ｃに受け入れられるゴム材などからなる弾性球状体１７’としての脚座１７とを有し、その脚長さを調節可能に構成してある。
【００５９】
また、この脚座受け部１６ｃは、前記ネジ棒状脚調整部１６ｂの下端に一体に備えられている円盤状体の周縁が下方に向けて垂れ下がる周縁鍔とされた倒皿状に構成してあり、この倒皿状をなす脚座受け部１６ｃ内に弾性球状体１７’としての脚座１７の上部側を受け入れて、この脚座１７上に前記台盤１０を支持し得る構成としてあり、架台Ａに生ずる各種振動などが該支持脚１６を介して測定対象床部Ｄに伝達される不具合、特に、この測定対象床部Ｄに備えられる衝撃音測定手段によって測定される不具合をなくし、しかも、前記支持脚１６の長さ調節をすることによって、この架台Ａにおける台盤１０の高さを当該連続衝撃音発生装置Ｙを用いた衝撃音の測定に都合の良い高さに調節して用い得るようにしてある。
【００６０】
かかる架台Ａにおける台盤１０に、一対の衝撃音発生体Ｂ、Ｂと、この衝撃音発生体Ｂを夫々上方に押上げると共に該押上げを解放して該衝撃音発生体Ｂを落下させる一対のカム手段Ｃを設けて連続衝撃音発生装置Ｙを構成するようにしてある。
【００６１】
かかる連続衝撃音発生装置Ｙを構成する一対の衝撃音発生体Ｂは、これを前記架台Ａに対して上下動自在に備えた構成としてあり、この図示例にあっては、案内体２０と落下重量体２１とによって構成してある。即ち、落下重量体２１を下部側に有する案内体２０におけるガイドロッド２８を該架台Ａにおける台盤１０に上下方向に連通するように案内孔３０ｄを備えて設けられているガイドポスト３０の当該案内孔３０ｄに上下動自在に挿通して、該落下重量体２１が、その自重によって前記カム手段Ｃによる押し上げ位置から測定対象床部Ｄに向けて落下され得る構成としてある。
【００６２】
かかる衝撃音発生体Ｂは、架台Ａにおける台盤１０に対して上下動自在に構成してあり、更に具体的には、該衝撃音発生体Ｂを落下重量体２１と、この落下重量体２１を前記架台Ａにおける台盤１０に対して上下動自在に組み付ける案内体２０とを有する構成としてある。また、この案内体２０は、前記落下重量体２１を上下方向に高さ調節可能に組み付ける取付けスクリューロッド２５と、この取付けスクリューロッド２５に下部連結プレート３１を介して組み付けられる一対のガイドロッド２８と、この一対のガイドロッド２８の上端間を連結する上部連結プレート３２とによって構成してある。
【００６３】
即ち、ここで架台Ａの台盤１０に備えられる衝撃音発生体Ｂを構成する案内体２０は、該架台Ａの台盤１０に備えられている一対のガイドポスト３０、３０に夫々ガイドロッド２８を挿通してあり、しかも、このガイドポスト３０から上方に突き出している各ガイドロッド２８の上端間を上部連結プレート３２で連結してあると共に、このガイドポスト３０から下方に突き出しているガイドロッド２８の下端間を下部連結プレート３１で連結してあり、また、この下部連結プレート３１から下方に垂下されるように取付けスクリューロッド２５が設けてあり、これらが一体となって前記ガイドポスト３０に案内されて上下動自在に当該架台Ａを構成する台盤１０に備えられている。
【００６４】
かかる架台Ａの台盤１０に対して上下動自在に備えられている案内体２０における取付けスクリューロッド２５に対して落下重量体２１を高さ調節自在に備えさせて連続衝撃音発生装置Ｙを構成するようにしてある。
【００６５】
かかる衝撃音発生体Ｂにおける落下重量体２１は、これを所要の高さから測定対象床部Ｄに向けて落下させた際に、当該測定対象床部Ｄにおける歩行音の測定、対比に用い得るに都合の良い衝撃音を生ずる重量と形態とを備えた構成としてあり、この図示例にあっては、下側部分が緩衝被覆材２２で覆われた衝突頭部２１ａとされ、この衝突頭部２１ａに頸部２１ｂを介して本体部２１ｃが一体に設けられていると共に、該本体部２１ｃの上端面の中央部から取付け柄部２１ｅが一体に突き出し状態に設けられた構成としてある。
【００６６】
かかる落下重量体２１は、更に具体的には、緩衝被覆材２２で覆われる衝突頭部２１ａをその衝突先端となる下端に向けて漸次縮径となる半球状体に設け、歩行衝撃音に近い落下衝撃音を生ずるようにしてあると共に、この衝突頭部２１ａの円形状の上端面２１ａ’の直径よりも小さい直径の円柱状頸部２１ｂを介して該頸部２１ｂの直径よりも大きい直径の円柱状をなす本体部２１ｃを有しており、しかも、この本体部２１ｃは、その上部外周に備えられている張出し鍔２１ｄによって外方に延設された面一の上端面２１ｃ’を有すると共に、該上端面２１ｃ’の中央部から断面円形の組み付け柄部２１ｅを一体に備えており、この組み付け柄部２１ｅを外周に雄ネジ２１ｇを備えたネジ棒状に構成してあり、この組み付け柄部２１ｅの上端面２１ｅ’から前記頸部２１ｂの側に向けて雌ネジ孔２１ｆを備えた構成としてある。
【００６７】
また、この落下重量体２１における前記衝突頭部２１ａに備えられる各種弾性材からなる緩衝被覆材２２は、この図示例にあっては液状ウレタンゴムを型内に流し込むことによって厚さが略１２ｍｍの緩衝被覆材２２を該ウレタンゴムの自己接着力によって該衝突頭部２１ａに対して一体に被覆状態に設けてあり、前記衝突頭部２１ａを覆う半球面状のキャップ状部２２ａと該キャップ状部２２ａの開口縁に沿って内側に屈曲状に張り出す内鍔部２２ｂとを有する構成とし、歩行衝撃音に近い落下衝撃音を生ずるようにしてある。即ち、前記衝突頭部２１ａ上に該キャップ状部２２ａが被装状態とされ且つ前記内鍔部２２ｂが該衝突頭部２１ａの上端面２１ａ’に引っ掛かり状態で該衝突頭部２１ａに備えられて落下重量体２１を構成するようにしてある。
【００６８】
また、この衝撃音発生体Ｂを構成する落下重量体２１は、その測定使用に際して、当該衝撃音発生体Ｂにおける重量の変更使用を可能とするように、前記組み付け柄部２１ｅに随時、随意に必要とされる重さの調整用ウエート２３を装着用い得る構成としてある。
【００６９】
この落下重量体２１に装着用いられる調整用ウエート２３は夫々所定の重量を有する円形の且つ所要厚さを有する環板状に構成されており、その中央部に開口されている装着孔２３ａに前記組み付け柄部２１ｅを挿通するようにして前記落下重量体２１における本体部２１ｃの上端面２１ｃ’上に該調整用ウエート２３を、当該衝撃音発生体Ｂが所期の目的の重量となる枚数相当数を積み重ねると共に該組み付け柄部２１ｅの雄ネジ２１ｇに螺着したナット２４によって該積み重ね調整用ウエート２３を前記上端面２１ｃ’との間で締め付け固定して用いるようにしてある。
【００７０】
かかる構成からなる落下重量体２１は、架台Ａを構成する台盤１０に備えられる案内体２０におけるガイドロッド２８に対して取付けスクリューロッド２５によって、その取り付け高さ位置を調整可能に組み付け用いられる。
【００７１】
この落下重量体２１の組み付け用いられる取付けスクリューロッド２５は、前記落下重量体２１に備えられている雌ネジ孔２１ｆに螺進退可能に螺合される雄ネジを外周に備えており、該落下重量体２１を該取付けスクリューロッド２５に対して目的の高さとなるように調整位置付けると共に該取付けスクリューロッド２５に螺挿したロックナット２７を該落下重量体２１における前記組み付け柄部２１ｅの上端面２１ｅ’に押しつけるようにして該調整位置に落下重量体２１をロックし得るように構成してある。
【００７２】
この落下重量体２１を高さ位置調整可能に組み付けて該落下重量体２１と共に衝撃音発生体Ｂを構成する案内体２０のガイドロッド２８は平行に備えられる垂直な一対の棒状体として構成してあると共に、その下端側が下部連結プレート３１によって相互に一体となるように組み付けてあり、また、その上端側が上部連結プレート３２によって相互に一体となるように組み付けられて略直角平行四辺形状をなす枠状体の一部をなすように構成してある。
かかる対をなすガイドロッド２８は、更に具体的には、該ガイドロッド２８の夫々の下部と上部とに備えられている該ガイドロッド２８の本体部２８’よりも細径の下部ネジ棒部２８ｂ及び上部ネジ棒部２８ａを、夫々横向きに備えられる板状をなす下部連結プレート３１及び上部連結プレート３２の両側部に夫々設けられている取付け孔に挿通すると共に該下部連結プレート３１から突き出している下部ネジ棒部２８ｂ及び上部連結プレート３２から突き出している上部ネジ棒部２８ａに夫々螺着したナット２９によって相互に一体的に組み付けてある。
【００７３】
かかる一対のガイドロッド２８を連結する下部連結プレート３２の略中央部に設けられている取り付け孔に対して、前記取付けスクリューロッド２５の上端部に該取り付け孔の周縁部に当接する段差面２５ｃを生ずるように該上端部から突き出すように備えられている該取付けスクリューロッド２５の本体部２５ａよりも細い径のネジ棒部２５ｂを挿通し、この下部連結プレート３１から上方に突き出されている該細径ネジ棒部２５ｂに螺着されたナット２６によって該取付けスクリューロッド２５を前記下部連結プレート３１に一体に組み付けることによって、前記各ガイドロッド２８と、これを連結する上部連結プレート３２及び下部連結プレート３１と共に案内体２０を構成するようにしてある。
かかる案内体２０における取付けスクリューロッド２５に対して前記落下重量体２１を、その取付け高さ位置を調整可能に螺着することによって衝撃音発生体Ｂを構成してある。
【００７４】
かかる構成からなる一対の衝撃音発生体Ｂを、この図示例にあっては、前記架台Ａを構成する台盤１０に備えられているガイドポスト３０に前記案内体２０におけるガイドロッド２８を挿通して、該夫々の衝撃音発生体Ｂにおける落下重量体２１を該台盤１０の下方において、前記カム手段Ｃによる押上げ位置から測定対象床部Ｄに向けて落下させ得るように構成してある。
【００７５】
かかる個々の衝撃音発生体Ｂの案内体２０における一対のガイドロッド２８を案内する一対のガイドポスト３０、３０は、前記台盤１０における各補強フレーム１１、１１の夫々の内鍔１１ａ間にあって、この台盤１０に組み付けられる衝撃音発生体Ｂが都合よく動作できるように該ガイドロッド２８を案内する位置に設けてあり、この図示例にあっては、追って説明する板カム４０の備えつけ回転軸４１の軸線に対して前記案内体２０の下部連結プレート３１と上部連結プレート３２とが斜めに交差し且つ該一対のガイドポスト３０、３０が該軸線の両側に位置して備えられる構成としてある。
【００７６】
この案内体２０のガイドロッド２８を案内するガイドポスト３０は、上下方向に連通する案内孔３０ｄを備えた筒状体によって構成してあり、外周鍔３０ｃを前記台盤１０の上面に接して該外周鍔３０ｃから下方にある下側筒部３０ｂを該台盤１０に開設してある取り付け孔１０ａに差し込み且つ該台盤１０の上面から上側筒部３０ａが上方に起立するように該台盤１０に組み付け固定してあり、前記ガイドロッド２８を上下方向に滑らかに移動案内し得る構成としてある。
【００７７】
なお、この案内体２０のガイドロッド２８を案内するガイドポスト３０は、このガイドポスト３０に案内されるガイドロッド２８が極力抵抗の少ない態様において移動され得るように、例えば、このガイドポスト３０におけるガイドロッド２８の案内部分の内周に環状にボールベヤリングを設け、このボールベヤリングによって前記ガイドロッド２８を滑らかに案内するように構成してある。
【００７８】
かかる架台Ａにおける台盤１０に対する案内体２０の組み付けは、典型的には、前記ガイドロッド２８に対して前記上部連結プレート３２又は下部連結プレート３１のいずれかを組み付け用意した後、前記ガイドポスト３０に該ガイドロッド２８を挿通し、この挿通ガイドロッド２８の他方端に残されている他の下部連結プレート３１又は上部連結プレート３２を組み付けると共に、このガイドポスト２８に対する下部連結プレート３１の取付け前又は取付け後において該下部連結プレート３１に前記取付けスクリューロッド２５を組み付けることによってなすことができる。
【００７９】
このように上下動可能に架台Ａに備えられる一対の衝撃音発生体Ｂは、典型的には同一の構成からなる一対の衝撃音発生体Ｂを前記板カム４０の備え付け回転軸４１に沿って設け、この各衝撃音発生体Ｂをモータ４８によって回転駆動される夫々の板カム４０を有する夫々のカム手段Ｃによって順次に押上げ、落下させるように構成してある。
【００８０】
かかる夫々の衝撃音発生体Ｂの押上げと測定対象床部Ｄに向けた当該衝撃音発生体Ｂの落下とに供される夫々のカム手段Ｃは、モータ４８によって回転され且つ架台Ａを構成する台盤１０上に備えられる一対の板カム４０と、当該夫々の衝撃音発生体Ｂに備えられて該板カム４０の押上げ摺接縁４０ａの摺接される被摺接部４２とを有する構成としてある。
【００８１】
かかる一対のカム手段Ｃを構成する夫々の板カム４０は、モータ４８にカップリング４７で連結された回転軸４１に対して、該回転軸４１における台盤１０上に備えられる軸受け４４及び軸受け４５間と、軸受け４５及び軸受け４６間とに設けられており、この回転軸４１の軸線に直交する向きに板面を向けて備えられた摺接カムとしての板状体によって構成してあり、この回転軸４１における回転軸線の回りを周回する回転軌跡を生ずるカム摺接縁を備えた構成としてある。
【００８２】
かかる板カム４０は、前記衝撃音発生体Ｂに備えられる被摺接部４２としてのローラ４２’に摺接して該衝撃音発生体Ｂを上方に押し上げる押上げ摺接縁４０ａと、この押上げ摺接縁４０ａの押上げ終端４０ｂから該板カム４０により押し上げられた衝撃音発生体Ｂを落下させる縁４０ｃとを備えた構成としてあり、より典型的には、前記押上げ摺接縁４０ａがインボリュート曲線からなる構成としてあると共に、この押上げ摺接縁４０ａにおける押上げ終端４０ｂから該板カム４０における回転軸側に向けて該押上げ摺接縁４０ａにより押上げられた衝撃音発生体Ｂを下方に落下させ得るように該回転軸側に向けて近付くように構成される縁４０ｃを有する構成としてある。
【００８３】
また、この板カム４０の摺接される前記衝撃音発生体Ｂに備えられる被摺接部４２としてのローラ４２’は、この板カム４２における回転方向と同一の回転方向、即ち該板カム４２における回転軸４１の回転軸線と平行な回転軸線で回転される回転軸４２’ａを有し、前記上部連結プレート３２の下面に取付けフレーム４３によって取り付け備えてある。
【００８４】
かかる板カム４０における回転軸４１に対して前記衝撃音発生体Ｂの案内体２０における一対のガイドロッド２８を、この回転軸４１の両側にあって、該回転軸４１の軸線に斜めに交差する向きの位置に備え、しかも、この衝撃音発生体Ｂに備えられる板カム４０の被摺接部４２としてのローラ４２’の回転軸４２’ａを該板カム４０の回転軸４１の回転軸線と平行な回転軸線で回転される構成とすることによって、簡素な構成で衝撃音発生体Ｂをカム手段Ｃによって確実に押上げ、しかも、これを落下させ得る連続衝撃音発生装置Ｙを構成することができる。
【００８５】
尚、この実施の形態に係る板カム４０は、この板カム４０の板面に直交する向きの回転軸４１を有し、該回転軸４１に近接した位置から漸次離れ出すインボリュート曲線からなる押上げ摺接縁４０ａを該板カム４０によって衝撃音発生体Ｂを目的の高さまで押しあげ得る形態に備えていると共に、この押上げ摺接縁４０ａにおける押上げ終端４０ｂから該押上げ摺接縁４０ａに接している被摺接部４２としてのローラ４２’が落下され得るように前記回転軸４１の側に近付く縁４０ｃを備えた構成としてあり、この図示例にあっては、前記衝撃音発生体Ｂに備えられているローラ４２’を最も高い位置に押し上げた状態における当該板カム４０における押上げ摺接縁４０ａの前記押上げ終端４０ｂから該縁４０ｃが垂直の向きに備えられる構成としてある。（図５参照）
【００８６】
かかる衝撃音発生体Ｂを押上げ且つ該押上げ状態を解放して該衝撃音発生体Ｂを落下させるカム手段Ｃにおける板カム４０は、回転速度の制御手段を有するモータ回路に備えられている各種モータ４８によって駆動される回転軸４１に備えられて、各種の歩行速度に対応した衝撃音の発生を衝撃音発生体Ｂにもたらす構成としてあり、例えば、回転速度の制御手段を有するモータ回路に備えられているギヤードモータにより回転される回転軸４１に備えられて所定の時間間隔で前記一対の衝撃音発生体Ｂを順次に測定対象床部Ｄに衝突衝撃音を生じさせるように落下させ得る構成としてある。
【００８７】
かかる、連続衝撃音発生装置Ｙを構成する衝撃音発生体Ｂは、前記架台Ａにおける台盤１０のガイドポスト３０に対して上下動自在に挿通状態に備えられる当該衝撃音発生体Ｂにおけるガイドロッド２８を、前記のように、前記カム手段Ｃ、より具体的には、このカム手段Ｃを構成する板カム４０の押上げ摺接縁４０ａによって該衝撃音発生体Ｂにおける案内体２０を、その押上げ終端４０ｂまで押上げ得る長さを備えた構成としてあると共に、この板カム４０の押上げ摺接縁４０ａによる押上げを解かれた衝撃音発生体Ｂが、測定対象床部Ｄに衝突衝撃音を生じさせるように落下され得る長さを備えた構成としてあり、この図示例にあっては、図６において示されるように衝撃音発生体Ｂが測定対象床部Ｄに衝突衝撃音を生じさせるように落下された状態で、この衝撃音発生体Ｂにおける案内体２０に備えられているローラ４２’と板カム４０における押上げ摺接縁４０ａとの間に若干の間隙を生ずるように構成してある。
【００８８】
また、この架台Ａの台盤１０におけるガイドポスト３０に対して上下動自在に備えられる前記案内体２０は、この案内体２０を構成する下部連結プレート３１を前記台盤１０の下面に接しさせることなく該案内体２０をカム手段Ｃの板カム４０によって上方に押上げ得る長さのガイドロッド２８を有する構成としてある。
【００８９】
また、この案内体２０を構成するガイドロッド２８は、前記案内体２０を上方に押上げているカム手段Ｃにおける板カム４０による当該押上げを解放した際に、この案内体２０を備えて構成される衝撃音発生体Ｂが測定対象床部Ｄに衝突衝撃音を生じさせるように確実に落下し得る長さを備えた構成、即ち、前記板カム４０による衝撃音発生体Ｂの押上げの解放に際して、該衝撃音発生体Ｂを構成する案内体２０におけるローラ４２’が該板カム４０に妨げられることなく、該衝撃音発生体Ｂを前記測定対象床部Ｄに衝突衝撃音を生じさせるように落下し得る長さを前記ガイドロッド２８が有する構成としてある。
【００９０】
また、この実施の形態に係る連続衝撃音発生装置Ｙにあっては、前記架台Ａを構成する台盤１０上に、前記衝撃音発生体Ｂを上方に引き上げた位置で支持可能とし、しかも、この衝撃音発生体Ｂの上方に向けた移動を阻止可能とする手段として用い得るストッパー片３４を備えた位置決め具Ｅが設けてある。
かかる台盤１０に備えられる位置決め具Ｅは、該台盤１０に起立状態に備えられているロッド３３と、このロッド３３のネジロッド部３３ａに螺合されるナット３５及び締付けナット３６と環状取付け部３４’において該ネジロッド部３３ａに回動可能に組み付けられる前記ストッパー片３４とを有する構成としてある。
【００９１】
この位置決め具Ｅのロッド３３に備えられるストッパー片３４は、その先端を前記衝撃音発生体Ｂの上部連結プレート３２の下面と上面との何れかに接しさせて用い得る構成としてあり、その基部側に環状取付け部３４’を有し、この環状取付け部３４’を前記ロッド３３における上部側のネジロッド部３３ａに螺合されている前記ナット３５上に回動可能に被嵌状に組み付けてあると共にこの被嵌されている環状取付け部３４’上に螺合される前記締付けナット３６によって所定方向を向いた状態に固定用い且つ上下方向に位置調整した状態に固定用い得るように構成してある。
【００９２】
かかる位置決め具Ｅのストッパー片３４は、前記連続衝撃音発生装置Ｙを用いて測定対象床部Ｄにおける衝撃音を測定する際には、該ストッパー片３４が衝撃音発生体Ｂの上下方向に向けた移動の妨げとならない向きに回動固定した状態に位置付けておくと共に、この衝撃音発生体Ｂを備えて構成される連続衝撃音発生装置Ｙを使用しない場合あるいはこれを搬送する際などにおいては、図７の実線で示されるように上部連結プレート３２の下面を前記ストッパー片３４で支承して該衝撃音発生体Ｂを所定高さに維持し得るように該ストッパー片３４を回動且つ高さ調節して用いる。
【００９３】
また、衝撃音発生体Ｂを構成する落下重量体２１を案内体２０に対して上下方向に高さ調節する際においては、該位置決め具Ｅにおけるストッパー片３４を、前記板カム４０によって押上げ終端位置に位置付けられている該衝撃音発生体Ｂの上部連結プレート３２の上面が図７の仮想線で示されるように該ストッパー片３４に押し当てられるように回動且つ高さ調節し、このストッパー片３４に前記上部連結プレート３２を押し当てた状態で前記落下重量体２１を案内体２０の取付けスクリューロッド２５に対して上下方向に移動調整する。
あるいは又、衝撃音発生体Ｂを構成する落下重量体２１を案内体２０に対して上下方向に高さ調節する際においては、該位置決め具Ｅにおけるストッパー片３４を、前記板カム４０によって押上げ終端位置に位置付けられている該衝撃音発生体Ｂの上部連結プレート３２の下面が図７の実線で示されるように該ストッパー片３４で支承されるように回動且つ高さ調節し、このストッパー片３４に前記上部連結プレート３２を支承した状態で前記落下重量体２１を案内体２０の取付けスクリューロッド２５に対して上下方向に移動調整する。
【００９４】
このように構成される連続衝撃音発生装置Ｙは、当該連続衝撃音発生装置Ｙを用いて各種の測定対象床部Ｄに対して連続した衝撃音をもたらすものであって、この連続衝撃音発生装置Ｙを用いて当該測定対象床部Ｄにもたらされる発生連続衝撃音を別段に用意設置される各種衝撃音測定手段（図示省略）を用いて測定し、当該測定対象床部Ｄにおける歩行衝撃音特性の比較に用いる。
【００９５】
かかる構成からなる前記連続衝撃音発生装置Ｙの前記一対のアーム１２、１２を、そのアーム本体部１２Ａ、１２Ａを台盤１０の下面側から回動状態に引き出して、該台盤１０における一方の長手側端にある該台盤１０の短手側縁に沿って該アーム本体部１２Ａ、１２Ａを直列状態にして当該台盤１０を互いに離れた状態とされる３本の支持脚１６〜１６によって支持するように当該連続衝撃音発生装置Ｙを測定対象床部Ｄにセットする。
【００９６】
次いで、前記連続衝撃音発生装置Ｙを構成する衝撃音発生体Ｂの重量を前記落下重量体２１に添装用いられる調整用ウエート２３の添装数の調節によって、目的とする落下衝撃音の発生に必要とされる重さに調節すると共に、この落下重量体２１に該調節用ウエート２３などを備えて構成される衝撃音発生体Ｂの落下距離を、当該連続衝撃音発生装置Ｙを用いた測定において目的とする落下衝撃音を発生するのに必要とされる落下距離を当該衝撃音発生体Ｂにおける落下重量体２１の下部先端と測定対象床部Ｄとの間に生ずるように当該落下重量体２１を前記案内体２０の取付けスクリューロッド２５に対して上下方向に移動調節し、且つ、前記支持脚１６のネジ棒状調整部１６ｂを脚本体部１６ａにおける雌ネジ孔１６ａ’に螺進退して該支持脚１６の長さ調節をする。
【００９７】
また、この連続衝撃音発生装置Ｙを用いた測定対象床部Ｄにおける衝撃音の測定に際して、典型的には、この測定対象床部Ｄ上に緩衝シート５０を添装して該緩衝シート５０上に前記衝撃音発生体Ｂを落下衝突させて測定対象床部Ｄにおける落下衝撃音の測定をする。この典型的且つより具体的な測定適用例にあっては、厚さが略７ｍｍのゴムシート、より好ましくは、厚さが略７ｍｍのセルラーラバーシートからなる緩衝シート５０を該測定対象床部Ｄ上に添装し、この緩衝シート５０上に該連続衝撃音発生装置Ｙにおける衝撃音発生体Ｂを落下させて当該測定対象床部Ｄにおける衝撃音の測定をする。
【００９８】
かかる構成からなる連続衝撃音発生装置Ｙを用いた測定対象床部Ｄに対する連続衝撃音の発生にあっては、夫々目的とされる特性を有する連続衝撃音を再現性良く各種の測定対象床部Ｄにもたらすことが可能であり、各種態様の連続した歩行音類似の衝撃音を測定対象床部Ｄにもたらして、これを測定評価することによって、各種床部における歩行音特性を正確に、且つ容易に評価確認することができる。
【００９９】
尚、前記実施の形態に係る連続衝撃音発生装置Ｙは、典型的には、前記衝撃音発生体Ｂの重量（前記調整用ウエート２３を付加した前記落下重量体２１及び前記案内体２０の総重量、即ち、一対のガイドロッド２８と上部連結プレート３２及び下部連結プレート３１並びに取付けスクリューロッド２５とを有する案内体２０と前記調整用ウエート２３を適宜付加された落下重量体２１との総重量）が、略４．２４ｋｇとなるように調整し、しかも、前記カム手段Ｃによって該衝撃音発生体Ｂが最も高い位置（即ち、前記案内体２０に備えられている被摺接部４２であるローラ４２’が前記板カム４０の前記押上げ摺接縁４０ａにおける押上げ終端４０ｂに接している位置）に押上げられている状態における該衝撃音発生体Ｂの下部先端、即ち、当該状態にある落下重量体２１の下部先端と測定対象床部Ｄの面（前記緩衝シート５０を除いた該測定対象床部Ｄの面）との間の間隔Ｘ、即ち、当該連続衝撃音発生装置Ｙにおける衝撃音発生体Ｂにおける落下距離が、通常歩行音類似の衝撃音測定において略１６ｍｍ，強歩行音類似の衝撃音測定において略３４ｍｍ，小走り歩行音類似の衝撃音測定において略６９ｍｍとなるように、該落下重量体２１を前記案内体２０の取付けスクリューロッド２５に対して上下方向に螺進退して調整し、あるいは前記支持脚１６の脚長さを脚本体部１６ａにおける雌ネジ孔１６ａ’にネジ棒状脚調整部１６ｂを螺進退して調整すると共に、前記一対の各衝撃音発生体Ｂ、Ｂが交互に所定間隔で連続して押し上げ且つ落下されるように前記カム手段Ｃの回転を制御して当該測定対象床部Ｄにおける連続衝撃音を測定する。
【０１００】
また、前記架台Ａを支持する支持脚１６を緩衝的に受ける脚座１７を、この支持脚１６の下部に備えられている倒皿状をなす脚座受け部１６ｃの乗せ掛けられるゴム製の球状体、より典型的にはショアＡ硬度４０で、しかも、直径略３０ｍｍの球状脚座１７を用いることによって、前記衝撃音発生体Ｂの落下位置と当該支持脚１６との間の間隔を略１５０ｃｍよりも近付けた状態で前記衝撃音発生体Ｂの押し上げ落下に伴って前記架台Ａにもたらされる振動に影響されることのない当該衝撃音発生体Ｂの落下衝撃音を的確に測定することができる。
【０１０１】
また、前記衝撃音発生体Ｂの押し上げをカム手段Ｃを用いてなすようにしてあることから、当該衝撃音発生体Ｂの押し上げ操作を簡素な構成の装置によって確実になし得る特長を有し、典型的には、該カム手段Ｃに用いられる板カム４０における押上げ摺接縁４０ａをインボリュート曲線からなる摺接縁４０ａとすることによって、このカム手段Ｃによる衝撃音発生体Ｂの無理の無い状態での押し上げがをなすことができる。
【０１０２】
また、前記架台Ａに備えられる支持脚１６は、典型的には、１脚を残した他の２脚を前記台盤１０に対して水平旋回可能に備えられている一対のアーム１２に設けてあることから、該連続衝撃音発生装置Ｙを搬送あるいは保管する際には、該アーム１２を台盤１０の下面側に、その長手側に沿って納め入れてコンパクトな状態とし、また、これを用いて測定対象床部Ｄにおける衝突衝撃音の測定をなす際には、該アーム１２を台盤１０から側方に引き出して支持脚１６間に十分な間隔をもたらすようにして用いることができる。
【０１０３】
【発明の効果】
この発明に係る連続衝撃音発生装置は、上下動自在に備えられている一対の衝撃音発生体と、この夫々の衝撃音発生体を夫々上方に押上げると共に該押上げを解放して該衝撃音発生体を落下させ、測定対象床部に衝突衝撃音を生じさせる一対のカム手段とを有する構成としてあることから、測定対象床部において予想される発生歩行音に類似する連続衝撃音を当該対象床部に対して確実に且つ再現性良くもたらすことができる利点を有している。
【０１０４】
また、前記構成に係る連続衝撃音発生装置において、前記一対のカム手段が、前記一対の衝撃音発生体を交互に上方に押上げると共に該押上げを解放して該衝撃音発生体を交互に落下させる構成とすることによって、測定対象床部に衝突衝撃音を生じさせる衝撃を確実に連続状態で再現性良くもたらすことができる利点を有している。
【０１０５】
また、前記構成に係る連続衝撃音発生装置において、前記衝撃音発生体に調整用ウエートを着脱可能に装着し得るようにすることによって、測定対象床部に衝突衝撃音を生じさせるように落下用いられる衝撃音発生体を随時、随意に、その重さを、測定の目的に対応して調整することができる利点を有している。
【０１０６】
また、前記構成に係る連続衝撃音発生装置において、前記衝撃音発生体が案内体と該案内体の下部に該案内体に対して上下方向に移動調節可能に備えられる落下重量体とを有し、該落下重量体を上下方向に移動調節して前記カム手段により押上げられる該衝撃音発生体における落下重量体下端の高さ位置を調整可能とすることによって、測定対象床部に衝突衝撃音を生じさせるように落下用いられる衝撃音発生体における落下高さを随時、随意に調整して、これを測定の目的に対応した高さに調整して用いることができる利点を有している。
【０１０７】
また、前記構成に係る連続衝撃音発生装置において、前記衝撃音発生体の側方にストッパー片を回動可能に有する位置決め具が設けてあり、該位置決め具における前記ストッパー片に前記衝撃音発生体における前記案内体を接しさせて、該衝撃音発生体における該案内体に対する前記落下重量体の上下方向に向けた移動調節をするように構成することによって、測定対象床部に衝突衝撃音を生じさせるように落下用いられる衝撃音発生体における落下高さを容易に且つ確実に測定の目的に対応した高さに調整して用いることができる利点を有している。
【０１０８】
また、前記構成に係る連続衝撃音発生装置において、前記カム手段が回転軸に備えられている板カムを有し、しかも、該板カムが前記衝撃音発生体の被摺接部に摺接して該衝撃音発生体を上方に押上げるように回転軸中心から漸次遠ざかるように備えられている押上げ摺接縁と、この押上げ摺接縁により押上げられた前記衝撃音発生体の落下移動を可能とするように該押上げ摺接縁から該回転軸側に向けて近付くように備えられる縁とを備えている構成とすることによって、この連続衝撃音発生装置を構成する衝撃音発生体の確実な押上げと、この押上げ衝撃音発生体を測定対象床部に確実に衝突衝撃音を生じさせるように落下させることができる利点を有している。
【０１０９】
また、前記構成に係る連続衝撃音発生装置において、前記板カムにおける前記衝撃音発生体の被摺接部に摺接して該衝撃音発生体を上方に押上げる押上げ摺接縁がインボリュート曲線からなる摺接縁とすることによって、この連続衝撃音発生装置を構成する衝撃音発生体の押上げを、この押上げに伴う振動を極力生じないようになすことができる利点を有している。
【０１１０】
また、前記構成に係る連続衝撃音発生装置において、前記衝撃音発生体及び前記カム手段を備える架台が３本以上の支持脚を有し且つ該支持脚を長さ調節可能に構成することによって、測定対象床部に衝突衝撃音を生じさせるように落下用いられる衝撃音発生体の落下高さを前記支持脚の長さ調節によって、随時、随意に測定目的に対応した高さに調整して用いることができる利点を有している。
【０１１１】
また、前記構成に係る連続衝撃音発生装置において、衝撃音発生体及びカム手段を備える架台が３本以上の支持脚を有すると共に該支持脚が弾性球状体の脚座を有する構成とすることによって、この連続衝撃音発生装置における衝撃音発生体の押上げ及び落下衝撃に伴って架台に生ずる振動が測定対象床部に対して伝達されるのを効果的に遮断でき、架台における支持脚と衝撃音発生体の落下位置との間の間隔を比較的離すことなく的確に落下衝撃音の測定ができる利点を有している。
【０１１２】
また、前記構成に係る連続衝撃音発生装置において、衝撃音発生体及びカム手段を備える架台が３本以上の支持脚を有し且つ該支持脚の少なくとも１本以上の支持脚が該架台に対して垂直軸線で回動可能に備えられているアームの先端側に設けられている構成とすることによって、当該連続衝撃音発生装置の使用に際して前記架台における支持脚による支持間隔を離した状態に当該連続衝撃音発生装置をセッテングすることが可能とされ、しかも、当該架台における支持脚間の間隔を狭めて当該装置の搬送、保管などをなすことができる利点を有している。
【図面の簡単な説明】
【図１】典型的な一実施の形態に係る連続衝撃音発生装置の使用状態を示す平面図
【図２】同アームを折り畳んだ状態の平面図
【図３】同使用状態の正面図
【図４】同使用状態の一部を省略して示した側面図
【図５】同衝撃音発生体Ｂを押し上げた状態を側方から見て示す縦断面図
【図６】同衝撃音発生体Ｂを落下させた状態を側方から見て示す縦断面図
【図７】同衝撃音発生体Ｂを位置決め具で支持している状態を側方から見て示す縦断面図
【符号の説明】
Ｙ  連続衝撃音発生装置
Ａ  架台
Ｂ  衝撃音発生体
Ｃ  カム手段
Ｅ  位置決め具
１２  アーム
１６  支持脚
１７  脚座
２０  案内体
４０  板カム
４０ａ  押上げ摺接縁
４０ｃ  縁
４１  回転軸
４２  被摺接縁
【図１】
0003842937.tif 000002
【図２】
0003842937.tif 000003
【図３】
0003842937.tif 000004
【図４】
0003842937.tif 000005
【図５】
0003842937.tif 000006
【図６】
0003842937.tif 000007
【図７】
0003842937.tif 000008